(57)【特許請求の範囲】
【請求項１】
演算装置が実行する方法であって、
第１及び第２無線ブロックにより共有される共有の無線周波数資源の利用を求める要求を前記第２無線ブロックから受信する段階であって、前記要求は、前記第１無線ブロックが低電力モードである場合に前記第１無線ブロックに対して行われる、段階と、
前記要求が受信された後に、或る時間間隔の経過を待機する段階と、
前記時間間隔が経過した場合に、前記第２無線ブロックが前記共有の無線周波数資源を用いることを許可する段階であって、前記第１無線ブロックは低電力モードで動作し続ける一方、前記第２無線ブロックは前記共有の無線周波数資源を用いることが許可される、段階と
を有する方法。
【請求項２】
請求項１に記載の方法であって、前記第１無線ブロック及び前記第２無線ブロックは無線インターネットカードにおいて共存する、方法。
【請求項３】
請求項１に記載の方法であって、前記第１無線ブロック及び前記第２無線ブロックは前記の無線周波数資源を共有する、方法。
【請求項４】
請求項３に記載の方法であって、前記共有の無線周波数資源の制御は前記第１無線ブロックにより行われる、方法。
【請求項５】
請求項４に記載の方法であって、前記第１無線ブロックは第１無線規格で動作し、前記第２無線ブロックは第２無線規格で動作する、方法。
【請求項６】
請求項５に記載の方法であって、
前記時間間隔が経過する前に応答が受信されたかどうかを調べる段階と、
前記応答が、前記共有の無線周波数資源を利用することは可能であることを示す場合に、前記第２無線ブロックが前記共有の無線周波数資源を用いることを許可する段階と
を更に有する、方法。
【請求項７】
請求項１に記載の方法であって、前記第１無線ブロックが前記低電力モードに入っている場合に、前記要求のマスキングを開始する段階を更に有する、方法。
【請求項８】
請求項１に記載の方法であって、前記第１無線ブロックがアクティブ電力モードに入っている場合に、前記要求のマスキングを停止する段階を更に有する、方法。
【請求項９】
共有の無線周波数資源を使用するフロントエンドと、
前記フロントエンドに結合された第１無線ブロックと、
前記フロントエンドに結合された第２無線ブロックであって、前記第１無線ブロックが低電力モードである場合に、前記第１及び第２無線ブロックにより共有される共有の無線周波数資源の利用を求める要求を前記第１無線ブロックに送信する第２無線ブロックと、
前記第１無線ブロック及び前記第２無線ブロックに結合された共存ブロックであって、前記要求が受信された後に、或る時間間隔の経過を待機し、前記時間間隔が経過した場合に、前記共有の無線周波数資源を前記第２無線ブロックが用いることを許可し、前記第１無線ブロックは低電力モードで動作する一方、前記第２無線ブロックは前記共有の無線周波数資源を用いることが許可される、共存ブロックと
を有する装置。
【請求項１０】
請求項９に記載の装置であって、前記第１無線ブロック及び前記第２無線ブロックは前記無線インターネットカードにおいて共存する、装置。
【請求項１１】
請求項９に記載の装置であって、前記第１無線ブロック及び前記第２無線ブロックは前記無線周波数資源を共有する、装置。
【請求項１２】
請求項１１に記載の装置であって、前記第２無線ブロックは前記第１無線ブロックに要求を送信する一方、前記第１無線ブロックは前記共有の無線周波数資源を管理する、装置。
【請求項１３】
請求項１２に記載の装置であって、前記第１無線ブロックは第１無線規格で動作し、前記第２無線ブロックは第２無線規格で動作する、装置。
【請求項１４】
請求項１３に記載の装置であって、前記共存ブロックは、
前記時間間隔を追跡するカウンタと、
前記カウンタに結合され、前記時間間隔を決定する制御論理部と
を有する、装置。
【請求項１５】
請求項１４に記載の装置であって、前記共存ブロックは前記制御論理部に結合された状態レジスタを更に有し、前記状態レジスタの第１ビットは、前記第１無線ブロックが前記低電力モードに入っている間に、前記第１無線ブロックにより設定され、アクティブ電力モードに入っている間に、前記第１ビットをリセットする、装置。
【請求項１６】
請求項１４に記載の装置であって、前記制御論理部は、前記時間間隔が経過する前に、応答が受信されたかどうかを調べ、前記共有の無線周波数資源が利用可能であることを前記応答が示す場合に、前記共有の無線周波数資源が前記第２無線ブロックにより用いられることを許可にする、装置。
【請求項１７】
請求項９に記載の装置であって、前記第１無線ブロックが前記低電力モードに入っている場合、前記共存ブロックは前記要求のマスキングを開始する、装置。
【請求項１８】
請求項９に記載の装置であって、前記第１無線ブロックがアクティブ電力モードに入っている場合、前記共存ブロックは前記要求のマスキングを停止する、装置。
【請求項１９】
請求項９に記載の装置であって、前記第１無線ブロックがアクティブ電力モードに入っている場合、前記共存ブロックは前記要求のマスキングを停止し、前記第１無線ブロックは第１無線規格で動作し、前記第２無線ブロックは第２無線規格で動作する、装置。
【請求項２０】
処理装置の共存ブロックに処理方法を実行させる複数の命令を有するコンピュータプログラムであって、前記処理方法は、
第１及び第２無線ブロックにより共有される共有の無線周波数資源の利用を求める要求を前記第２無線ブロックから受信する段階であって、前記要求は、前記第１無線ブロックが低電力モードである場合に前記第１無線ブロックに対して行われる、段階と、
前記要求が受信された後に、或る時間間隔の経過を待機する段階と、
前記時間間隔が経過した場合に、前記第２無線ブロックが前記共有の無線周波数資源を用いることを許可する段階であって、前記第１無線ブロックは低電力モードで動作し続ける一方、前記第２無線ブロックは前記共有の無線周波数資源を用いることが許可される、段階と
を有するコンピュータプログラム。
【請求項２１】
請求項２０に記載のコンピュータプログラムであって、前記第１無線ブロック及び前記第２無線ブロックは無線インターネットカードにおいて共存する、コンピュータプログラム。
【請求項２２】
請求項２０に記載のコンピュータプログラムであって、前記第１無線ブロック及び前記第２無線ブロックは前記無線周波数資源を共有する、コンピュータプログラム。
【請求項２３】
請求項２１に記載のコンピュータプログラムであって、前記共有の無線周波数資源の制御は前記第１無線ブロックにより行われる、コンピュータプログラム。
【請求項２４】
請求項２２に記載のコンピュータプログラムであって、前記第１無線ブロックは第１無線規格で動作し、前記第２無線ブロックは第２無線規格で動作する、コンピュータプログラム。
【請求項２５】
請求項２３に記載のコンピュータプログラムであって、前記処理方法は、
前記時間間隔が経過する前に応答が受信されたかどうかを調べる段階と、
前記応答が、前記共有の無線周波数資源が利用可能であることを示す場合に、前記第２無線ブロックが前記共有の無線周波数資源を用いることを許可する段階と
を更に有する、コンピュータプログラム。
【請求項２６】
請求項２０に記載のコンピュータプログラムであって、前記処理方法が、前記第１無線ブロックが前記低電力モードに入っている場合に、前記要求のマスキングを開始する段階を更に有する、コンピュータプログラム。
【請求項２７】
請求項２０に記載の記憶媒体コンピュータプログラムであって、前記処理方法が、前記第１無線ブロックがアクティブ電力モードに入っている場合に、前記要求のマスキングを停止する段階を更に有する、コンピュータプログラム。
【請求項２８】
プロセッサと、
前記プロセッサに結合されたチップセットと、
前記チップセットに結合され、第１無線ブロック及び第２無線ブロックにより共有される共有の無線周波数資源を使用するフロントエンドを有する無線インターネットカードと
を有し、前記無線インターネットカードは、
前記フロントエンドに結合された第１無線ブロックと、
前記フロントエンドに結合され、前記第１無線ブロックが低電力モードである場合に前記共有の無線周波数資源の利用を求める要求を前記第１無線ブロックに送信する第２無線ブロックと、
前記第２無線ブロック及び前記第１無線ブロックに結合された共存ブロックであって、前記要求が受信された後に、或る時間間隔の経過を待機し、前記時間間隔が経過した場合に、前記共有の無線周波数資源を前記第２無線ブロックが用いることを許可し、前記第１無線ブロックは低電力モードで動作する一方、前記第２無線ブロックは前記共有の無線周波数資源を用いることが許可される、共存ブロックと
を有する、システム。
【請求項２９】
請求項２８に記載のシステムであって、前記第１無線ブロック及び前記第２無線ブロックは無線インターネットカードにおいて共存し、前記第１無線ブロック及び前記第２無線ブロックは前記無線周波数資源を共有している、システム。
【請求項３０】
請求項２９に記載のシステムであって、前記第２無線ブロックは前記第１無線ブロックに前記要求を送信する一方、前記第１無線ブロックは前記共有の無線周波数資源を管理する、システム。
【発明の詳細な説明】
【技術分野】
【０００１】
インターネット接続性に対する要求がいまや急速に高まってきていて、ラストマイル用接続性を与える無線接続性を発展させてきている。
【背景技術】
【０００２】
製造メーカは、ラップトップ、デスクトップ、タブレットＰＣ（携帯情報端末）、医療用装置、モバイルインターネット装置（ＭＩＤ）及び携帯型装置等の装置に無線インターネットカードを備えることによりラストマイル用接続を与える無線技術をサポートしている。無線インターネットカードはまた、Ｗｉ−Ｆｉ（Ｗｉｒｅｌｅｓｓ  Ｆｉｄｅｌｉｔｙ）に基づくＩＥＥＥ（登録商標）８０２．１１規格及びＷｉ−ＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）に基づくＩＥＥＥ（登録商標）８０２．１６規格の共存をサポートしている。
【発明の概要】
【課題を解決するための手段】
【０００３】
本明細書で詳述する発明は、例示として示され、添付図に限定されるものではない。図を簡単化及び明確化するように、図中に示されている要素は、必ずしもスケーリングして示されていない。例えば、一部の要素の寸法は、明確化のために他の要素に対して誇張して描かれる場合がある。更に、適切に考慮されるように、対応する又は類似する要素を示す図においては同じ参照番号が用いられている。
【０００４】
以下に、無線インターネットカードにおける電力効率を改善する実施形態について詳述する。以下の説明においては、論理実施、資源分配又は共有、重複実施、システム構成要素の種類及び相互関係、論理分配又は集積選択等の多くの特定の詳細について、本発明を理解することにより更に提供することができるように、記載されている。しかしながら、そのような特定の詳細説明なしで、本発明が実施可能であることを、当業者は理解することができる。換言すれば、制御構造、ゲートレベル回路及びフルソフトウェア命令列は、本発明を曖昧にしないように、詳細には示されていない。当業者は、含まれる説明なしで、実験を行うことなく適切な機能を実施することができる。
【０００５】
本明細書における“一実施形態”、“実施形態”、“例示としての実施形態”への言及は、特定の特性、構造又は特徴を有することが可能であるが、全ての実施形態が、特定の特性、構造又は特徴を有する必要はない。更に、特定の特性、構造又は特徴が実施形態に関連付けて記載されているとき、明確に記載されているか否かに拘わらず、他の実施形態に関連して、そのような特性、構造又は特徴に影響することは当業者の知識の範囲内にあると考えられる。
【０００６】
本発明の実施形態は、ハードウェア、ファームウェア、ソフトウェア又は何れかのそれらの組み合わせで実施されることが可能である。本発明の実施形態はまた、１つ又はそれ以上のプロセッサにより読み取られて、実行されることが可能である機械読み取り可能媒体に記憶されている命令として実施されることが可能である。機械読み取り可能媒体は、機械（例えば、演算装置）が読み取ることが可能である形式にある情報を記憶する又は送信する何れかの機構を有する。
【０００７】
例えば、機械読み取り可能媒体は、読み取り専用メモリ（ＲＯＭ）、ランダムアクセスメモリ（ＲＡＭ）、磁気ディスク記憶媒体、光学記憶媒体、フラッシュメモリデバイス、電子的形式、光学的形式、音響的形式又は他の形式の伝播する信号（例えば、搬送波、赤外線信号及びディジタル信号）を有することが可能である。更に、ファームウェア、ソフトウェア、ルーチン及び命令は、特定のアクションを実行するとして、本明細書では説明されている。しかしながら、そのような説明は、単に便宜上のものであり、そのようなアクションは、実際には、ファームウェア、ソフトウェア、ルーチン及び命令を実行する演算装置、プロセッサ、制御器及び他の装置から得られることが理解される必要がある。
【図面の簡単な説明】
【０００８】
【図１】一実施形態に従った電力効率の改善をサポートすることが可能である装置１００を示す図である。
【図２】一実施形態に従った電力効率の改善をサポートすることが可能である無線インターネットカードのブロック図である。
【図３】一実施形態に従った省電力モードに入る第１無線ブロックの動作を示すフロー図である。
【図４】一実施形態に従ったアクティブ電力モードに入る第１無線ブロックの動作を示すフロー図である。
【図５】一実施形態に従った電力効率の改善をサポートすることが可能である第２無線ブロックの動作を示すフロー図である。
【発明を実施するための形態】
【０００９】
一実施形態に従った電力効率の改善をサポートすることが可能である演算装置１００を図１に示す。演算装置１００は、プロセッサ１１０、チップセット１３０、メモリ１６０及び無線インターネットカード１８０を有することが可能である。
【００１０】
チップセット１３０は、プロセッサ１１０、メモリ１６０及び無線インターネットカード１８０に動作可能であるように結合された１つ又はそれ以上の集積回路又はチップを有することが可能である。一実施形態においては、チップセット１３０は、メモリ１６０及び無線インターネットカード１８０のそれぞれと結合するメモリ制御器ハブ及びＩ／Ｏ制御器ハブ等の制御器ハブを有することが可能である。チップセット１３０は、ＰＣＩ  Ｅｘｐｒｅｓｓリンク等のリンクにおいて無線インターネットカード１８０により生成されるトランザクションを受信することが可能であり、更なる処理のためのプロセッサ１１０に又は記憶目的のためのメモリ１６０にトランザクションを転送することが可能である。また、チップセット１３０は、トランザクションを生成して、プロセッサ１１０のために無線インターネットカード１８０に送信することが可能である。
【００１１】
メモリ１６０は、データ及び／又はソフトウェア命令を記憶することが可能であり、例えば、演算システム１００等のシステムで用いられるＤＲＡＭ（ダイナミックＲＡＭ）デバイス、ＳＤＲＡＭ（シンクロナスＤＲＡＭ）デバイス、ＤＤＲ（Ｄｏｕｂｌｅ  Ｄａｔａ  Ｒａｔｅ）ＳＤＲＡＭデバイス若しくは他の揮発性及び／又は不揮発性メモリデバイス等の１つ又はそれ以上の種々の種類のメモリデバイスであることが可能である。
【００１２】
プロセッサ１１０は、演算システム１００における種々の資源及び処理を管理することが可能であり、ソフトウェア命令も実行することが可能である。プロセッサ１１０は、メモリ及び無線インターネットカード１８０にデータを転送するようにチップセット１３０と接続することが可能である。一実施形態においては、プロセッサ１１０は、無線インターネットカード１８０により受信されるデータユニットを受信することが可能であり、メモリ１６０にそれらのデータユニットを記憶する前に又は無線インターネットカード１８０に戻るようにデータユニットを送信する前に、それらのデータユニットを処理することが可能である。
【００１３】
一実施形態においては、無線インターネットカード１８０は、無線通信のために発展された規格に基づいて複数のプロトコルの共存をサポートする。一実施形態においては、無線インターネットカード１８０は、ＩＥＥＥ（登録商標）８０２．１１及びＩＥＥＥ‘登録商標）８０２．１６等の規格をサポートする無線ブロックの共存をサポートすることが可能である。一実施形態においては、無線インターネットカード１８０は、その無線インターネットカード１８０の電力効率を改善する論理を有することが可能である。一実施形態においては、無線インターネットカード１８０は、第２無線ブロック（例えば、Ｗｉ−ＭＡＸブロック）が第１無線ブロック（例えば、Ｗｉ−Ｆｉブロック）を目覚めさせることなく複数の共有資源を用いることを可能にする。
【００１４】
第２無線ブロックは、更に第１無線ブロックを目覚めさせることなく複数の共有資源にアクセスするので、目覚めさせられて、それらの複数の共有資源にアクセスするように第２無線ブロックからの複数の要求を処理するために、第１無線ブロックにより消費されることが可能である電力は保存されることが可能である。一実施形態においては、そのような方法は、無線インターネットカード１８０の全体的な電力効率を改善することが可能である。一実施形態においては、無線インターネットカード１８０は、無線周波数（ＲＦ）信号の送受信を可能にするアンテナ１９０が取り付けられることが可能である。
【００１５】
図２は、一実施形態に従って無線インターネットカード１８０の電力効率を改善することが可能である無線インターネットカード１８０のブロック図である。一実施形態においては、無線インターネットカード１８０は、フロントエンド２２０、Ｗｉ−Ｆｉブロック２３０、Ｗｉ−ＭＡＸブロック２４０、共存ブロック２６０及びインタフェース２８０を有することが可能である。
【００１６】
一実施形態においては、インタフェース２８０は、無線インターネットカード１８０をチップセット１３０に結合することが可能である。一実施形態においては、インタフェース２８０は、チップセット１３０と無線インターネットカード１８０との間でデータユニットを転送する前に、プロトコル変換を実行することが可能である。一実施形態においては、インタフェース２８０は、チップセット１３０と無線インターネットカード１８０との間でデータユニットを転送するように、物理インタフェース、電子インタフェース及びプロトコルインタフェースを備えることが可能である。
【００１７】
一実施形態においては、フロントエンド２２０は、低雑音増幅器（ＬＮＡ）、ミキサ、基準発振器、フィルタ、ベースバンドプロセッサ、データ変換器及び他の構成要素を有することが可能である。複数の無線周波数構成要素は共に、ＲＦ資源と呼ばれることが可能である。一実施形態においては、無線インターネットカード１８０は、時分割でＷｉ−Ｆｉブロック２３０とＷｉ−ＭＡＸブロック２４０により共有されることが可能である単一のＲＦ資源のセットを有することが可能である。そのような方法は、集積回路のコストを低減することも可能である集積回路のリアルエステート（ｒｅａｌ  ｅｓｔａｔｅ）を低減することが可能である。
【００１８】
一実施形態においては、フロントエンド２２０は、アンテナ１９０に対して信号を送受信することが可能である。一実施形態においては、フロントエンド２２０は、アンテナ１９０を介してＲＦ信号を受信し、データビットを生成するようにＲＦ信号を処理し、Ｗｉ−Ｆｉブロック２３０又はＷｉ−ＭＡＸブロック２４０の一にデータビットを渡すことが可能である。一実施形態においては、フロントエンド２２０は、Ｗｉ−Ｆｉブロック２３０又はＷｉ−ＭＡＸブロック２４０の一からデータビットを受信し、それらのデータビットを適切な周波数範囲のＲＦ信号に変換し、アンテナ１９０を介してＲＦ信号を転送することが可能である。一実施形態においては、単一のＲＦ資源のセットは、共存することが可能である複数の無線ブロックにより共有されることが可能である。一実施形態においては、複数のＲＦ資源は、低雑音増幅器、ミキサ、基準発振器、フィルタ、ローカル発振器、中間周波数増幅器及びデータ変換器等の構成要素を有することが可能である。無線ブロックの各々のための専用ＲＦ資源を提供することは法外なコストが掛かる可能性がある。
【００１９】
一実施形態においては、Ｗｉ−Ｆｉブロック２３０は、無線インタフェースカード１８０がＩＥＥＥ（登録商標）８０２．１１プロトコルに基づいてデータユニットを送受信することを可能にする。一実施形態においては、Ｗｉ−Ｆｉブロック２３０は、直交周波数分割多重化（ＯＦＤＭ）又はＣＣＫ（Ｃｏｍｐｌｉｍｅｎｔａｒｙ  Ｃｏｄｅ  Ｋｅｙｉｎｇ）等の符号化技術を用いることが可能である。一実施形態においては、Ｗｉ−Ｆｉブロック２３０は、インタフェース２８０からデータユニットを受信し、フロントエンド２１０にデータユニットを送信することが可能である。また、Ｗｉ−Ｆｉブロック２３０は、データビットを処理した後に、フロントエンド２１０からインタフェース２８０に受信されたデータビットを転送することが可能である。
【００２０】
一実施形態においては、Ｗｉ−Ｆｉブロック２３０は、“アクティビティのない”又は“アクティビティの低い”条件を検出した後に、スリープモードを入力することが可能である。一実施形態においては、Ｗｉ−Ｆｉブロック２３０は、要求の受信及びその要求の処理に応答して、スリープモードから目覚めさせる（アクティブパワーモードに入いる）ことが可能である。一実施形態においては、スリープ状態又は低電力モードで動作するＷｉ−Ｆｉブロック２３０は消費電力を低減することが可能である。しかしながら、Ｗｉ−Ｆｉブロック２３０は、目覚めさせて、要求を処理するために電力を消費する可能性がある。そのような頻繁に目覚めさせることは、スリープ状態又は低電力状態により達せられる省電力の優位性を相殺する可能性がある。
【００２１】
一実施形態においては、Ｗｉ−Ｆｉブロック２４０は、無線インターネットカード１８０がＩＥＥＥ（登録商標）８０２．１６プロトコルに基づくデータユニットを送受信することを可能にする。一実施形態においては、Ｗｉ−ＭＡＸブロック２４０はまた、直交周波数分割多重化（ＯＦＤＭ）等の符号化技術を用いることが可能である。一実施形態においては、Ｗｉ−ＭＡＸブロック２４０は、インタフェース２８０からデータユニットを受信し、フロントエンド２１０にそれらのデータユニットを転送することが可能である。また、Ｗｉ−ＭＡＸブロック２４０は、インタフェース２８０からフロントエンド２２０に受信されたデータビットを転送することが可能である。一実施形態においては、Ｗｉ−ＭＡＸブロック及びＷｉ−Ｆｉブロック２３０は共存することが可能であり、フロントエンド２２０において提供される複数のＲＦ資源を共有することが可能である。
【００２２】
一実施形態においては、Ｗｉ−ＭＡＸブロック２４０はまた、“アクティビティがない”又は“低アクティビティの”条件を検出した後に、スリープモードに入ることが可能である。一実施形態においては、Ｗｉ−ＭＡＸブロック２４０は、要求の受信に応答してスリープモードから目覚めさせる（アクティブパワーモードに入る）ことが可能である。しかしながら、頻繁に目覚めさせることは、スリープ状態又は低パワー状態により達せられる省電力の優位性を相殺する可能性がある。
【００２３】
一実施形態においては、共存ブロック２６０は、Ｗｉ−Ｆｉブロック２３０又はＷｉ−ＭＡＸブロック２４０が低電力状態から目覚めさせることが可能である頻度を低減することにより無線インターネットカード１８０の電力効率を改善することが可能である。一実施形態においては、共存ブロック２６０は、複数のＲＦ資源を用いる要求を生成するブロックへの複数のＲＦ資源の割り当てを処理することが可能である。一実施形態においては、共存ブロック２６０は分離論理ブロックとして提供されることが可能であり、又は、Ｗｉ−Ｆｉブロック２３０及びＷｉ−ＭＡＸブロック２４０の一部として実施されることが可能である。
【００２４】
一実施形態においては、共存ブロック２６０は無線ブロックＡからの要求を処理し、無線ブロックＢを目覚めさせることなく無線ブロックＡに対して複数のＲＦ資源を割り当てることが可能である。一実施形態においては、共存ブロック２６０は、無線ブロックＢがスリープ状態から目覚めさせられないことを確実にし、要求を目覚めさせてその要求に応えるように無線ブロックＢにより消費されることが可能である電力が保存される。
【００２５】
一実施形態においては、共存ブロック２６０は、状態レジスタＳ＿ＲＥＧ２６１、制御論理２６４及びカウンタ２６８を有することが可能である。一実施形態においては、Ｐ＿ＲＥＧ２６１は、Ｗｉ−Ｆｉブロック２３０及びＷｉ−ＭＡＸブロック２４０によりそれぞれ設定される又はリセットされることが可能である第１ビット及び第２ビットを有することが可能である。一実施形態においては、Ｗｉ−Ｆｉブロック２３０及びＷｉ−ＭＡＸブロック２４０が低電力モードに入っている間に、第１ビット及び第２ビットが設定されることが可能であり、そしてアクティブ電力モードに入っている間に、リセットされることが可能である。
【００２６】
一実施形態においては、制御論理２６４は、Ｗｉ−ＭＡＸブロック２４０が共有される複数のＲＦ資源を用いることを可能にする前に、共有ブロック２６０が待機する時間間隔をカウントするように用いられることが可能である。
【００２７】
図３は、一実施形態に従って第１無線ブロックの方に方向付けられた要求をマスキングする共存ブロックの動作を示すフロー図である。
【００２８】
一実施形態においては、Ｗｉ−Ｆｉブロック２３０は第１無線ブロック（ＦＷＢ）とみなされ、Ｗｉ−ＭＡＸブロック２４０は、Ｗｉ−Ｆｉブロック２３０が低電力状態にあり、Ｗｉ−Ｆｉブロック２３０が複数のＲＦ資源を用いる要求を生成していることが可能であることを前提とする、第２無線ブロック（ＳＷＢ）とみなされる。しかしながら、Ｗｉ−ＭＡＸブロック２４０がスリープモードにある場合、及びＷｉ−Ｆｉブロック２３０が複数のＲＦ資源を用いる要求を生成している場合、同様の技術を用いることが可能である。
【００２９】
ブロック３１０においては、共存ブロック２６０は、第１無線ブロックが低電力モード又は省電力モードに入るかどうかを調べ、ＦＷＢが省電力モードに入る場合に、ブロック３５０への通過を制御することが可能である。一実施形態においては、ＦＷＢは、低電力モードに入る前に、状態レジスタＳ−ＲＥＧ２６１の第１ビットを設定することが可能である。同様に、一実施形態においては、ＳＷＢは、低電力モードに入る前に、状態レジスタＳ−ＲＥＧ２６１の第２ビットを設定することが可能である。一実施形態においては、共存ブロック２６０は、ＦＷＢが低電力モードに入っているかどうかを判定するように、Ｓ−ＲＥＧ２６１の第１ビットの状態を調べることが可能である。
【００３０】
ブロック３５０において、共存ブロック２６０は、第２無線ブロック（ＳＷＢ）から受信された要求をマスキングすることが可能である。一実施形態においては、共存ブロック２６０は、Ｗｉ−Ｆｉブロック２３０が低電力モードにあることを検出した後、Ｗｉ−ＭＡＸブロック２４０から受信された要求をマスキングすることが可能である。一実施形態においては、共存ブロック２６０はまた、Ｗｉ−ＭＡＸブロック２４０が複数のＲＦ資源を割り当てられることを確実にすることが可能である。一実施形態においては、ＦＷＢを目覚めさせることなくＳＷＢへの複数のＲＦ資源の割り当てが図５に示されている。
【００３１】
一実施形態においては、共存ブロック２６０は、ＳＷＢにより送信される要求における資源割り当てフィールドのビット値、及び、ＦＷＢにより設定される電力状態フィールドのビット値について調べることが可能である。一実施形態においては、共存ブロック２６０は、資源割り当てフィールド及び電力状態フィールドの両方のビット値が論理１である場合に、ＳＷＢにより送信された要求をマスキングすることが可能である。
【００３２】
図４は、一実施形態に従って第１無線ブロックの方に方向付けられる要求をマスキングすることを停止する共存ブロックの動作を示すフロー図である。
【００３３】
ブロック４１０において、共存ブロック２６０は、第１無線ブロック（ＦＷＢ）がアクティブ電力モードに入っているかどうかを調べて、ＦＷＢがアクティブ電力モードに入っている場合に、ブロック４５０への通過を制御することが可能である。一実施形態においては、ＦＷＢは、アクティブ電力モードに入る前に、状態レジスタＳ＿ＲＥＧ２６１の第１ビットをリセットすることが可能である。同様に、一実施形態においては、ＳＷＢは、アクティブ電力モードに入る前に、状態レジスタＳ＿ＲＥＧ２６１の第２ビットをリセットすることが可能である。一実施形態においては、共存ブロック２６０は、ＦＷＢがアクティブ電力モードに入っているかどうかを判定するように、Ｓ＿ＲＥＧ２６１の第１ビットの状態を調べることが可能である。
【００３４】
ブロック４５０においては、共存ブロック２６０は、第２無線ブロック（ＳＷＢ）から受信された要求のマスキングを停止することが可能である。一実施形態においては、共存ブロック２６０は、Ｗｉ−Ｆｉブロック２３０がアクティブ電力モードにあることを判定した後に、Ｗｉ−ＭＡＸブロック２４０から受信された要求をマスキングすることを停止することが可能である。
【００３５】
一実施形態においては、共存ブロック２６０は、ＳＷＢにより送信された要求における資源割り当てフィールドのビット値、及びＦＷＢにより設定された電力状態フィールドのビット値について調べることが可能である。一実施形態においては、共存ブロック２６０は、資源割り当てフィールドのビット値が論理０である場合に、及び電力状態フィールドのビット値が論理１である場合に、ＳＷＢにより送信された要求をマスキングすることを停止することが可能である。
【００３６】
図５は、一実施形態に従って電力効率の改善をサポートすることが可能である第２無線ブロックの動作を示すフロー図である。
【００３７】
ブロック５１０においては、共存ブロック２６０は、ＳＷＢが共有される複数のＲＦ資源を用いる準備ができているかどうかを調べ、ＳＷＢがそれらの資源を用いる準備ができている場合に、ブロック５３０への通過を制御することが可能である。一実施形態においては、共存ブロック２６０は、要求の資源割り当てフィールドのビット値を調べ、資源割り当てフィールドのビット値が論理１である場合に、共存ブロック２６０は、ブロック５３０に通過するように制御されることが可能である。
【００３８】
ブロック５３０においては、共存ブロック２６０は、カウンタが時間間隔をカウントするように設定することが可能である。一実施形態においては、共存ブロック２６０の制御論理２６４はその時間間隔を決定することが可能である。
【００３９】
ブロック５４０においては、ＳＷＢは、応答が受信されたかどうかを調べることが可能である。一実施形態においては、ＦＷＢは、ＦＷＢがアクティブ電力モードにある場合に、応答を送信し、その応答が受信されない場合にはブロック５６０への通過を、そうでない場合にはブロック５７０への通過を制御することが可能である。
【００４０】
ブロック５６０においては、共存ブロック２６０は、時間間隔が経過したかどうかを調べ、時間間隔が経過した場合にはブロック５９０への通過を、そうでない場合にはブロック５４０へ戻るように、制御することが可能である。一実施形態においては、共存ブロック２６０は、時間間隔が経過した後に、ＳＷＢが共有される複数のＲＦ資源を使用することを可能にする。また、ＳＷＢは、スリープ状態からＦＷＢを目覚めさせることなく共有される複数のＲＦ資源を用いることが可能である。一実施形態においては、共存ブロック２６０は、ＳＷＢが共有される複数のＲＦ資源を送信することが可能であるＳＷＢに信号を送信することが可能である。
【００４１】
ブロック５７０においては、ＳＷＢはその応答を処理することが可能である。ブロック５８０においては、ＳＷＢは、応答が有利なものであるかどうかを判定し、その応答が有利である場合に、ブロック５９０への通過を制御することが可能である。一実施形態においては、ＳＷＢが共有される複数のＲＦ資源を用いることをＦＷＢが可能にする場合に、その応答は有利であるとみなされる。
【００４２】
ブロック５９０において、ＳＷＢは、要求を目覚めさせる必要があるＦＷＢなしに共有される複数のＲＦ資源を用いることが可能であるため、無線インターネットカード１８０の全体的な電力効率が改善されることが可能である。
【００４３】
本発明の特定の特徴について、上では、例示としての実施形態を参照しながら詳述した。しかしながら、その説明は、制限的であるとして解釈されるようには意図されていない。本発明が関係する技術分野の熟達者にとって明らかである、本発明の例示としての実施形態の種々の変形及び他の実施形態は、本発明の主旨及び範囲内にあるとみなされる。
【図１】
0005399469.tif 000002
【図２】
0005399469.tif 000003
【図３】
0005399469.tif 000004
【図４】
0005399469.tif 000005
【図５】
0005399469.tif 000006